Podtech/llm-jp-corpus-v4-ja_patent huggingface dataset:
(57)【特許請求の範囲】
【請求項１】
横長の基台と、該基台の底面側に着脱可能に形成され、起毛布と、該起毛布よりも密度が疎で、硬度が高い硬質起毛布とでおおわれた略菱形形状の断面からなる横長の掃き部とを有し、前記基台の長手方向の一部に掻出し用ブラシが形成されていることを特徴とする床用掃除具。
【発明の詳細な説明】
【０００１】
【発明の属する技術分野】
本発明は、床用掃除具に関するものである。
【０００２】
【従来の技術】
従来、この種のものとして、例えば特開平７−３２７９０６号公報に記載されているものがあった。図１を用いて説明する。
【０００３】
図１は、例えば特開平７−３２７９０６号公報に開示された掃除具の一例を示す斜視図である。１はハンドル、２は押台、３は基台、４は不織布シート、５は清掃面である。この方式において、床面のごみをかき集める時には、清掃面５をごみに押し当てて使用する。
【０００４】
【発明が解決しようとする課題】
上記の図１の掃除具においては、清掃面は長方形の板面になっている為、清掃面を、ごみから離して操作すると、ごみをかき集める事ができない。また、上記の図１の掃除具においては、ごみを掻出す為のブラシを有していないので、角に集まったごみを掻出す事ができない。
【０００５】
本発明は、次のように構成したものである。
（１）床用掃除具の発明であって、横長の基台と、該基台の底面側に着脱可能に形成され、起毛布と、該起毛布よりも密度が疎で、硬度が高い硬質起毛布とでおおわれた略菱形形状の断面からなる横長の掃き部とを有し、前記基台の長手方向の一部に掻出し用ブラシが形成されていることに特徴を有する。
【０００６】
【発明の実施の形態】
実施の形態
図２〜図７に実施の形態を示す。図２は床用掃除具を前面側から見た正面図であり、図３、図４、図５は床用掃除具の掃き部の断面図である。また、図６、図７は床用掃除具の使用状態図である。図２において、１１は継ぎ手部、１２は基台、１３、１４は着脱部、１５は掃き部、１６はブラシである。基台１２は、底面側に起毛布等でおおわれた矩形の断面からなる横長の掃き部１５を、両側から支持する様に着脱部１３、１４が形成されてあり、着脱部１３を介して掃き部１５の反対側には掻出し用のブラシ１６が形成されている。
【０００７】
基台１２は、長手方向の一部にブラシ１６が形成されている為、床面の隅に溜まったごみでも、ブラシ１６を使用して掻出す事ができる。また、基台１２は掃き部１５を着脱する為の着脱部１３、１４が形成されている為、使用の頻度に応じて、適時、掃き部１５を基台１２から着脱する事ができる。
【０００８】
また、図３において、２０は掃き部、２１は起毛布、２２は芯部、２３、２４は角部である。掃き部２０は、９０度以下の角度の角部２３、２４から形成されている略菱形形状の断面を有する芯部２２と、芯部２２の外周に巻かれた起毛布２１から形成されてある。
【０００９】
掃き部２０は、角部２３、２４の角度が９０度以下になっている為、床面に角部２３または角部２４を押し当てる事により、ごみを容易に集める事ができる。
【００１０】
また、図４において、３０は掃き部、３１は起毛布、３２は芯部、３３は角部である。掃き部３０は、９０度以下の角度の角部３３から形成されている略台形形状の断面を有する芯部３２と、芯部３２の外周に巻かれた起毛布３１から形成されてある。
【００１１】
また、図５において、４０は掃き部、４１は起毛布、４２は芯部、４３、４４は角部、４５は硬質起毛布である。掃き部４０は、９０度以下の角度の角部４３、４４から形成されている略菱形形状の断面を有する芯部４２と、芯部４２の外周部の２箇所に形成された起毛布４１、及び角部４３、４４の外周部に形成された硬質起毛布４５から構成されてある。硬質起毛布４５は、起毛の密度が起毛布４１より疎であり、かつ起毛の硬度が起毛布４１より高い毛材から形成されてある。その為、硬質起毛布４５は、人毛、綿ほこり等のごみを、起毛布４１よりも捕捉しやすい。
【００１２】
さらにまた、図６において、６０は床面、６１は継ぎ手部、６２は基台、６５は掃き部である。図６においては、床用掃除具を、略菱形形状の断面を有する掃き部６５の斜面６６が、床面６０に当接する角度に傾けて使用している。その為、床面６０のごみを、斜面６６の全面で、効率よく集める事ができる。
【００１３】
また、図７において、７０は床面、７１は継ぎ手部、７２は基台、７５は掃き部である。図７においては、床用掃除具を、略菱形形状の断面を有する掃き部７５の側面７６が、床面６０に当接する角度まで傾けて使用している。その為、家具の隙間等の狭い場所であっても、床面７０のごみを、側面７６の全面で、効率よく集める事ができる。
【００１４】
なお、本発明の実施の形態は、起毛布等を有する掃き部が使用されてあるが、軟質材等であっても何ら支障はない。また、掃き部の断面形状については、少なくとも１つの角部が９０度以下であれば、他の断面形状であっても何ら支障はない。
【００１５】
【発明の効果】
本発明の床用掃除具は、基台の長手方向の一部に掻出し用ブラシが形成されている構造とした為、床面の隅に溜まったごみでも、ブラシを使用して掻出す事ができる。また、基台には着脱部が形成されている為、使用の頻度に応じて、適時、掃き部を着脱する事ができる。また、掃き部は、角部の角度が９０度以下になっている為、床面に角部を押し当てる事により、ごみを容易に集める事ができる。また、掃き部は、起毛布および硬質起毛布から形成されている為、人毛、綿ほこり等のごみを、効率よく捕捉できる。さらにまた、掃き部は、略菱形形状の断面を有している為、家具の隙間等の狭い場所であっても、床面のごみを、効率よく集める事ができる。
【図面の簡単な説明】
【図１】  従来の床用掃除具を示す斜視図である。
【図２】  本発明の実施の形態の前面側から見た正面図である。
【図３】  本発明の実施の形態の掃き部の断面図である。
【図４】  本発明の他の実施の形態の掃き部の断面図である。
【図５】  本発明の他の実施の形態の掃き部の断面図である。
【図６】  本発明の床用掃除具の使用状態を示す断面図である。
【図７】  本発明の床用掃除具の使用状態を示す断面図である。
【符号の説明】
１  ハンドル  ２  押台  ３、１２、６２、７２  基台
４  不織布シート  ５  清掃面  １１、６１、７１  継ぎ手部
１３、１４  着脱部  １５、２０、３０、４０、６５、７５  掃き部
１６  ブラシ  ２１、３１、４１  起毛布  ２２、３２、４２  芯部
２３、２４、３３、４３、４４  角部  ４５  硬質起毛布
６０、７０  床面  ６６  斜面  ７６  側面
【図１】
0004614523.tif 000002
【図２】
0004614523.tif 000003
【図３】
0004614523.tif 000004
【図４】
0004614523.tif 000005
【図５】
0004614523.tif 000006
【図６】
0004614523.tif 000007
【図７】
0004614523.tif 000008
(57)【特許請求の範囲】
【請求項１】
三相交流発電機用の励磁電流の制御装置であって、
電圧源を有し、
該電圧源に接続された整流器を有し、
該整流器に接続された３つの相巻線を有し、
該相巻線に接続された評価ユニットを有し、
電圧調整器を有し、該電圧調整器の入力側は評価ユニットに接続され、出力側は三相交流発電機の励磁巻線に接続されている、制御装置において、
評価ユニット（９）は３つの入力端子（１０、１１、１２）を有し、該入力端子はそれぞれ、三相交流発電機（２）の相巻線（５、６、７）のうちの１つと接続されており、
３つの該相巻線（５、６、７）に所属の相電圧を評価する評価ユニット（９）が設けられており、許容されない動作状態を検出し、
電圧調整器（３）が許容されない動作状態を識別した場合には、励磁巻線（８）を流れる励磁電流を低減することを特徴とする、励磁電流を制御する装置。
【請求項２】
前記評価ユニット（９）は前記電圧調整器（３）の構成部分である、請求項１記載の装置。
【請求項３】
前記評価ユニット（９）は、電圧源（１）の陽極に接続されている第４の入力端子（１４）を有し、
アース電位に接続されている端子（１５）を有する、請求項１または２記載の装置。
【請求項４】
前記評価ユニットを整流器の誤動作の検出に使用する、請求項１から３のいずれか１項記載の装置。
【請求項５】
前記評価ユニットを相巻線のうちの１つの誤動作の検出に使用する、請求項１から４のいずれか１項記載の装置。
【請求項６】
前記評価ユニットは、３つの相電圧全てを振幅及び／又は周波数に関して評価する、請求項１から５のいずれか１項記載の装置。
【発明の詳細な説明】
【０００１】
従来の技術
本発明は、請求項１の上位概念記載の特徴を有する、三相交流発電機用の励磁電流を制御するための装置に関する。このような装置はDE 197 32 961 A1により公知である。そこには、相巻線及び励磁巻線を有する三相交流発電機用の電圧調整器が記載されている。さらに公知の場合においては、相電圧のうちの１つを検出及び評価するための手段が設けられており、励磁巻線を流れる励磁電流は、例えば検出された相電圧に依存して制御される。相信号の評価にはウィンドウコンパレータが使用され、上側及び下側閾値はその都度以下のようにして変化される。すなわち電圧が上昇する場合、上側閾値に達するとこれらの閾値の上昇が行われ、また、電圧が降下しそして下側閾値に達した場合には、これらの閾値の低下が行われる。両スイッチング点は周波数に依存した評価信号を形成するために使用され、そしてそのようにして求められた周波数から発電機の回転数が求められる。このことは例えば、発電機がまだ停止しているか、または回転しているかを迅速に識別することができ、回転が開始された直後に前励磁から本来の制御状態へ移行することができる。
【０００２】
発明の利点
請求項１記載の特徴を有する本発明による装置は、公知の装置と比較すると以下のような利点を有する。すなわち、３つの相電圧全ての求められた評価によって、整流器及び固定子巻線の誤動作の存在を逆推理することができる。整流器及び固定子巻線の適切な動作を保護することによって、システムが場合によっては過熱されて、制御不能になることを阻止する。このことは以下のことを可能にする。すなわち本発明を用いて、発電機及びそれに隣接するシステムの危険な電位を適時に識別することが可能になる。これによって、極端な熱発生によって生じる可能性のある、重大な連続的損傷が阻止される。
【０００３】
これらの利点は、以下のような評価ユニットを使用することにより達成される。すなわち、評価ユニットは３つの入力端子を有し、この入力端子はそれぞれ三相交流発電機の相巻線のうちの１つに接続されている。評価ユニットは、目標特性からの顕著な偏差を識別するために、３つの相電圧全てを振幅及び／又は周波数に関して評価する。このような顕著な偏差が生じた場合には、発電機の電圧調整器を介して励磁巻線の負荷を危険のない程度に制限することができる。したがって本発明では、整流器及び固定子の動作が制限されていることを識別した場合には、過度に負荷がかかることを阻止し、したがって発電機及びその周辺のモジュールにおける連続的な損傷も阻止することができる。
【０００４】
図面の説明
本発明の実施例を図面に表し、以下詳細に説明する。
【０００５】
実施例の説明
図では、三相交流発電機２がバッテリ１に接続されている。さらに三相交流発電機２には調整器３が接続されており、この調整器３は統合された評価ユニット９及び制御ユニット１３を有する。
【０００６】
三相交流発電機の相巻線５、６、７は、共通の中性点ＭＰを介して相互に接続されている。同様に固定子相のΔ結線も可能である。さらに、相巻線５、６、７は端子ｕ、ｗ、ｖを介して、整流器ブリッジ４のツェナーダイオードに接続されている。整流器ブリッジ４は端子Ｂ＋を介してバッテリ１の陽極に接続され、また端子Ｂ−を介してバッテリ１の陰極ないしはアースに接続されている。相巻線５、６、７には相電圧Ｕ、Ｖ、Ｗが生じる。さらに三相交流発電機２には励磁巻線８が設けられている。
【０００７】
相電圧Ｕ、Ｖ、Ｗは、整流器４及び相巻線５、６、７の起こりうる誤動作を識別するために使用される。したがって相巻線の手前にはタップ点ｖ、ｕ、ｗが設けられており、これらのタップ点は信号線を介して評価ユニット９の入力端子１０、１１、１２に接続されている。
【０００８】
評価ユニット９において、３つの相巻線から導出した信号を、バッテリ電位Ｂ＋及びアース電位Ｂ−を基準として評価する。このために評価ユニット９は、第４の入力側１４及び端子１５を有し、入力側１４にはバッテリ電位Ｂ＋が印加され、端子１５にはアース電位が印加される。この評価の結果は制御ユニット１３に供給され、この制御ユニット１３は調整器３の出力側１６を介して励磁巻線８を制御する。
【０００９】
評価ユニット９において、目標特性との偏差が顕著であるという評価が生じれば、これは整流器及び／又は相巻線のうちの１つの動作が制限されていると判定され、そして電圧調整器を介して励磁巻線の負荷が危険のない程度に制限、すなわち励磁巻線を流れる電流が低減される。これによって、発電機及びこれに隣接するモジュールにおける連続的な損傷が阻止される。
【図面の簡単な説明】
【図１】  本発明による実施例である。
【図１】
0004673539.tif 000002
(57)【特許請求の範囲】
【請求項１】
固定子コアおよび巻線から成る固定子を備えたモータ本体と該固定子に対して取り付けられている回転子とを含む平坦なエレベータモータ内にあり、前記固定子は前記モータ本体に取り付けられている実質的に樋状の取付部の中に取り付けられ、該取付部と前記固定子との間のスペースは、熱を前記固定子から前記取付部に伝導する熱伝導性充填材料で充填された固定子固定装置において、
前記充填材料は成型可能な材料であり、前記固定子は該充填材料によって前記取付部に取り付けられ、
前記充填された充填材料は前記固定子と前記モータ本体の間に絶縁ギャップを形成していることを特徴とする固定子固定装置。
【請求項２】
請求項１に記載の固定装置において、前記充填材料は樹脂であることを特徴とする固定装置。
【請求項３】
請求項１に記載の固定装置において、前記モータ本体は円盤状であり、前記樋状の取付部は取付要素を用いて前記モータ本体の外側の縁に固定され、前記回転子に対して、前記固定子は前記モータ本体の反対側に取り付けられていることを特徴とする固定装置。
【請求項４】
請求項１に記載の固定装置において、前記取付部はアルミニウム製であることを特徴とする固定装置。
【請求項５】
請求項１に記載の固定装置において、前記取付部には冷却フィンが設置されていることを特徴とする固定装置。
【請求項６】
請求項１に記載の固定装置において、前記エレベータモータは円盤状であることを特徴とする固定装置。
【発明の詳細な説明】
【詳細な説明】
【０００１】
本発明は平坦なエレベータモータ内にある固定子の取付装置に関するものである。そのエレベータモータはモータ本体、そのモータ本体に固定された固定子、および回転子を有する。
【０００２】
エレベータ機械装置の物理的な大きさはエレベータシャフトおよび／または建物の大きさに関係していて、その装置が位置する場所にも依存する。エレベータ機械装置がエレベータシャフトの中、もしくはその近くに位置するとき、エレベータ機械装置の厚さは設置に必要なスペースに関して非常に重要なものとなる。
【０００３】
米国特許第5,962,948号の明細書によれば、エレベータ機械装置はエレベータシャフト内に位置するものとして設計され、平坦で円盤状のエレベータモータを含む。そのエレベータモータは固定子および回転子を含んでいる。その回転子は永久磁石のついた回転子ディスクから成り、その回転子ディスクにはトラクションシーブが搭載されている。その固定子は固定子コアおよび巻線を有し、モータ本体と回転子との間にネジによる固定方法によって固定されている。
【０００４】
本発明は固定子をモータ本体に固定する新しいタイプの取付構造を実現することを目的とする。本発明によれば、固定子を冷却する手法を改善し、従来方式で作られた固定子より小さい固定子構体を作ることが可能となる。
【０００５】
本発明による取り付け構造では、固定子は樋状の取付部の内部に取り付けられていて、固定子巻線と取付部との間にあるスペースは熱伝導充填材料によって充填されている。また、その熱伝導充填材料は熱を固定子から取付部へと伝導する。本発明の構成要件は以下の特許請求の範囲に詳細に述べられている。
【０００６】
本発明によれば固定子固定装置を経済的で簡単かつ確実に取り付けることが可能となる。さらに、効率的な冷却と必然的に強力な力の密度も同様に達成される。本発明の方式では、絶縁ギャップは従来技術による方式より小さくし、これによって、エレベータモータを軸方向に従来のモータより短く作ることが可能になる。この点は、エレベータモータをエレベータシャフトの中に配置するように設計する場合は特に重要である。さらに、充填材の使用は固定子の巻線が汚れることを防ぐ。したがって、モータ保護の等級を比較的簡単に上げることができる。
【０００７】
さらに、取付部および固定子は単体として形成され、そのことによって堅くしっかり固定された構造になる。
【０００８】
以下、本発明は実施例を用い、添付図面を参照して詳細に説明する。図面は本発明による固定子取付装置を示すものである。
【０００９】
図は平坦で円盤状のエレベータモータ２を示す。そのエレベータモータ２はギアレス式のエレベータ機械装置で使われていて、そのエレベータ機械装置は案内レール１の近くに位置している。エレベータモータ２はモータ本体３に形成されたディスク４と、ディスクに固定された固定子５とを含む。固定子は巻線コア51と巻線52とから成る。本体３上の軸受６には円形の回転子ディスク７とトラクションシーブ８とが取り付けられている。ディスク４の内側には凹部41があり、その凹部41は回転子のために形成されたものである。
【００１０】
固定子５は回転子７の外側に取り付けられている。すなわち、樋状の取付部９の樋91の中のディスク４の反対側に取り付けられている。そして、樋上の取付部９は例えばアルミニウムから作られている。取付部９はディスク４の外側の縁にネジ10で取り付けられている。取付部９には冷却フィン92が外側に設置されている。巻線52と取付部９との間にあるスペース11は樹脂12で満たされている。その樹脂12は熱伝導性に優れている。したがって、巻線52と特にその両端は効率よく取付部９の内側で冷やされる。樹脂は固定子を堅く取付部９に取り付ける役割も果たす。したがって、他のいかなる取付要素も必要としない。
【００１１】
当業者にとって本発明の様々な実施例が以上に説明したような例に制限されないことは明らかであり、それらの実施例は以下に記す特許請求の範囲内で改変してよい。
【図面の簡単な説明】
【００１２】
【図１】平坦で円盤状のエレベータモータ２を示す。
【図１】
0004673555.tif 000002